(57)【要約】 【課題】内外の操作部材の軸部分の不一致が生じた場合であっても、操作部材の回転操作が極力渋くならないようにすること。  【解決手段】錠箱の左右側壁の円形軸孔を貫通する操作部材用の長杆状連結軸の構造に於いて、前記連結軸の基端部には、操作部材の非真円状被嵌合部に対応する嵌合部が形成され、この嵌合部に断面真円状の第１部分が連設し、次いで、この第１部分に連設する連結軸の略中央部に外嵌合するカム部材の貫通孔内面の一部に係合する非真円状係合部が形成され、次いで、この非真円状係合部に前記第１部分と同一形状の第２部分が連設していること。【選択図】図３
2008038375.tif 000002
【特許請求の範囲】
【請求項１】
錠箱の左右側壁の円形軸孔を貫通する操作部材用の長杆状連結軸の構造に於いて、前記連結軸の基端部には、操作部材の非真円状被嵌合部に対応する嵌合部が形成され、この嵌合部に断面真円状の第１部分が連設し、次いで、この第１部分に連設する連結軸の略中央部に外嵌合するカム部材の貫通孔内面の一部に係合する非真円状係合部が形成され、次いで、この係合部に前記第１部分と同一形状の第２部分が連設していることを特徴とする操作部材用の長杆状連結軸の構造。
【請求項２】
請求項１に於いて、カム部材の左右のボス部が錠箱の対向側壁の円形軸孔或いは軸受け部分に回転自在に支承され、連結軸の係合部はカム部材の貫通孔内面の略中央部に係合していることを特徴とする操作部材用の長杆状連結軸の構造。
【請求項３】
請求項１に於いて、連結軸の左右の基端部にそれぞれ操作部材の非真円状被嵌合部に対応する嵌合部が形成され、また、前記操作部材は、内外のサムターン部材であることを特徴とする操作部材用の長杆状連結軸の構造。
【請求項４】
請求項１に於いて、連結軸の左右の基端部にそれぞれ操作部材の非真円状被嵌合部に対応する嵌合部が形成され、また、前記操作部材は、内外のハンドルであることを特徴とする操作部材用の長杆状連結軸の構造。
【発明の詳細な説明】
【技術分野】
【０００１】
本発明は、操作部材用の長杆状連結軸の構造に関する。
【背景技術】
【０００２】
特許文献１の図１乃至図３には、左右の操作部材（例えばレバーハンドル）と、これらの操作部材を連結する長杆状の連結軸（角軸）と、貫通した該連結軸の中央部に外嵌合するカム部材（文献１では符号３１の円筒体）と、このカム部材に嵌入すると共に前記連結軸に嵌合するハンドルガタツキ防止体（文献１では角筒スペーサ３３）が記載されている。
【０００３】
この特許文献１は、特許文献２と同様に、「長杆状角軸と、この角軸の両端部にそれぞれ取り付けられる左右一組の操作部材と、前記角軸の中央部に外嵌合し、かつ、施錠機構（例えばラッチ杆）を引き戻すためのカム部材（通称、「ダルマ」）とから成る把手部材用の軸の嵌合構造」に関するものである。
【０００４】
ここで、図９は、特許文献１、特許文献２等に使用されている普通一般の長杆状連結軸（角軸）の構成を示す。図９で示すように、長杆状連結軸は一方の基端部１ａから他方の基端部１ｂに至るまで一連に角材形状に形成されていることから、普通一般に「角軸」と称されている。
【０００５】
この角軸１の基端部１ａには、圧入小孔２が穿設されている。また、操作部材としての一方のレバーハンドル３の軸部分３ａには、前記基端部（外端部）１ａが嵌入する角型状の取り付穴４が形成されている。そして、角軸１の基端部１ａに対する操作部材３の固定は、前記軸部分３ａに形成された貫通状の固定孔５に固定ピン６を差し込むことにより行われることは公知事項である。
【０００６】
また、特に図示しないが、他方のレバーハンドルの軸部分にも固定手段用の貫通孔が形成され、この貫通孔と符合する角軸１の他方の基端部（内端部）１ｂにはネジ孔７が形成されている。
【０００７】
ところで、上記角軸１には、錠箱の左右側壁の円形軸孔やカム部材（例えばダルマ）との摺接関係において一つの大きな問題点があった。この問題点は、操作部材を操作すると、建付け、内外の部材の取り付け位置等を起因として「いわゆる違和感」が発生する場合があるということである。その理由について、図１０を参照にして説明する。
【０００８】
１１は玄関、室内等の出入り口に設けられた扉、１２は内外の取り付け座、１３は内外の操作部材、１４は扉１１の自由端部に固定的に内装された錠箱、そして、１は錠箱１４の対向側壁１４ａの円形軸孔１５を直接または間接的に貫通する長杆状角軸１である。
この概念図では、長杆状角軸１の中央部にカム部材（例えばダルマ）１６が外嵌合し、該カム部材１６の左右のボス部１６ａが前記対向側壁１４ａの円形軸孔１５ないし軸受け部分１７に回転自在に支承されている。
【０００９】
したがって、左右の基端部１ａ，１ｂを有する長杆状角軸１は、角孔１６ｂを有するカム部材１６を介して、間接的に錠箱１４の円形軸孔１５に支承されている。
【００１０】
ところで、今仮に、建付け、内外の部材の取り付け位置等を起因として、角軸１が水平軸Ｌに対して多少傾いた場合には、対向側壁１４ａの円形軸孔１５とカム部材１６のボス部１６ａとの摩擦抵抗が大きくなり、いずれかの操作部材１３を操作すると操作感が渋くなる（いわゆる違和感が発生する）。
【００１１】
このような違和感の発生は、概念図で示したカム部材（例えばダルマ）１６のみならず、例えばトイレ等の室内ドアに設けた内外のサムター部材を操作した場合にも起こっている。そこで、現在、ハンドル、サムター等の操作部材が長杆状角軸１の基端部にそれぞれ取り付けられている場合に発生する上記問題点を解消すべきことが要望されている。
【特許文献１】特開２００６−７７４５９号公報
【特許文献２】特開２００６−７０６２０号公報
【発明の開示】
【発明が解決しようとする課題】
【００１２】
本発明の所期の目的は、基端部に内外の操作部材が取り付けられている長杆状連結軸が、建付け、内外の部材の取り付け位置等を起因として多少傾いた場合（内外の操作部材の軸部分の不一致が生じた場合）であっても、操作部材の回転操作が極力渋くならないようにすることである。第２の目的は、錠箱の対向側壁にカム部材（例えばダルマ、ラッチ部材用の回転係止片）を錠箱に軸支させ、かつ、錠箱を貫通する長杆状連結軸に該カム部材を外嵌合させても、所期の目的を達成することができることである。
【課題を解決するための手段】
【００１３】
本発明の操作部材用の長杆状連結軸の構造は、錠箱の左右側壁の円形軸孔を貫通する操作部材用の長杆状連結軸の構造に於いて、前記連結軸の基端部には、操作部材の非真円状被嵌合部に対応する嵌合部が形成され、この嵌合部に断面真円状の第１部分が連設し、次いで、この第１部分に連設する連結軸の略中央部に外嵌合するカム部材の貫通孔内面の一部に係合する非真円状係合部が形成され、次いで、この係合部に前記第１部分と同一形状の第２部分が連設していることを特徴とする。
【００１４】
上記構成に於いて、カム部材の左右のボス部が錠箱の対向側壁の円形軸孔或いは軸受け部分に回転自在に支承され、連結軸の非真円状係合部はカム部材の貫通孔内面の略中央部に係合していることを特徴とする。その他の目的と新規な特徴は、本明細書の記述および添付図面から客観的に定まる。
【発明の効果】
【００１５】
長杆状連結軸の中央部にカム部材の貫通孔内面の一部に係合する非真円状係合部（例えば多角形状部分）を形成し、この非真円状係合部を基準として連結軸の軸方向に連設する左右に断面真円状の第１部分と第２部分をそれぞれ連設したので、長杆状連結軸が、建付け、内外の部材の取り付け位置等を起因として多少傾いた場合（内外の操作部材の軸部分の不一致が生じた場合）であっても、操作部材の回転操作が極力渋くならない。そして、この効果は、錠箱の対向側壁にカム部材（例えばダルマ、ラッチ部材用の回転係止片）を錠箱に軸支させ、かつ、錠箱を貫通する長杆状連結軸に該カム部材を外嵌合させ場合に顕著である。
【発明を実施するための最良の形態】
【００１６】
以下、図１乃至図７に示す本発明を実施するための最良の形態（第１実施例）により説明する。
【００１７】
（１）発明の実施の環境
図１及び図２を参照にして発明の実施の環境を簡単に説明する。なお、説明の便宜上、図９及び図１０で示した従来例の環境部材と同一部分には同一または同様の符号を付して重複する説明を省略する。
【００１８】
１１Ａは室内扉、１２Ａは内外の取り付け座、１３Ａは内外のサムターン部材、１４Ａは錠箱、１４ａは錠箱の対向側壁（ケース身の側壁とケース蓋）、１５は左右の対向側壁１４ａに水平軸線上に位置するように形成された左右一対の円形軸孔、１６Ａは長杆状の中央部に外嵌合するカム部材である。
【００１９】
本実施例のカム部材１６Ａは、デッドラッチ、反転ラット等のラッチ部材のラッチ機構或いは仮施錠機構の一部を構成する部材であり、図２で示すように、カム部材１６Ａの左右のボス部１６ａは、錠箱１４Ａの対向側壁１４ａの円形軸孔１５或いは軸受け部分１７に回転自在に支承されている。
【００２０】
本発明の連結軸１Ａも従来の角軸と同様にカム部材１６Ａを貫通し、左右の基端部には、サムターン部材１３Ａ，１３Ａが内外のサムターンワッシャ１８を介して適宜に取り付けられている。
【００２１】
なお、図１に於いて、符号１９は外側ハンドル、２０は内側ハンドル、２１は内側ハンドルと外側ハンドルを連結する長杆状連結軸（ここでは連結軸１Ａと区別する場合には「ハンドル用の連結軸２１」という。）である。
【００２２】
（２）連結軸１Ａの構造
図３は主要部としての連結軸１Ａの構造を示している。連結軸１Ａは、直接的には、内外の操作部材１３Ａとカム部材１６Ａに関係する。
【００２３】
すなわち、図３を基準にすると、連結軸１Ａの右基端部には、内側の操作部材１３Ａの非真円状被嵌合部３１に対応する非真円状嵌合部３２が形成され、この非真円状嵌合部３２に、図４で示すように断面真円状の第１部分３３が連設し、次いで、この第１部分３３に連設する連結軸１Ａの略中央部に外嵌合するカム部材１６Ａの貫通孔内面３４（図５参照）の一部に係合する非真円状係合部３５が形成され、次いで、この非真円状係合部３５に前記第１部分３３と同一形状の第２部分３６が連設し、さらに、この第２部分３６に外側の操作部材１３Ａの非真円状被嵌合部３７に対応する非真円状嵌合部３８が形成されている。
【００２４】
しかして、実施例では、内外の操作部材１３Ａは、例えば室内のトイレドア等に良く見受けられるような摘みを含むサムターン部材であることから、室内側の操作部材１３Ａは室内側の取り付け座１２Ａから突出し、一方、室外側の室外側の操作部材１３Ａは室外側の取り付け座１２Ａ内に面一状に入り込んでいる。
【００２５】
そこで、回転可能な一組の操作部材１３Ａ，１３Ａの非真円状被嵌合部（嵌合穴）３１，３７は、例えば角穴となっている。したがって、一方の操作部材１３Ａの非真円状被嵌合部３１に嵌入する右基端部の非真円状嵌合部３２は、操作部材１３の被嵌合部３１の形状に対応して短い角軸部となっている。同様に、他方の操作部材１３Ａの非真円状被嵌合部３７に嵌入する左基端部の非真円状嵌合部３８も短い角軸部となっている。
【００２６】
連結軸１Ａの両基端部３２，３８の形状や長さは、当然のことながら、操作部材１３Ａの非真円状被嵌合部３１の形状や穴の深さを考慮して設計されている。したがって、非真円状被嵌合部３１の形状が楕円形状等である場合には、基端部の形状もそれに対応する楕円形状等となる。なお、本実施例の連結軸１Ａの両基端部３２，３８は、対応する操作部材１３Ａ，１３Ａに単に嵌入するだけでも良く、固定手段を限定要件とするものではない。
【００２７】
次に、本実施例では、カム部材１６Ａの貫通孔内面３４の一部に係合する非真円状係合部３５は、図５で示すように、カム部材１６Ａの貫通孔内面３４の略中央部に係合している。
【００２８】
したがって、非真円状嵌合部３２に軸方向に連設する断面真円状の第１部分３３及び非真円状係合部３５に軸方向に連設する第２部分３６は、連結軸１Ａが所定量まで傾かない限り、前記貫通孔内面３４の左右部分には接触しない。
【００２９】
付言すると、第１部分３３及び第２部分３６の外周面と貫通孔内面３４の左右部分の角形状の内周面との間には、連結軸１Ａが多少傾くことができる若干の許容間隙４０が設定されている。図５では極端に示しているが、内外の操作部材の軸部分の不一致が生じた場合には、例えば図面上右側の第１部分３３が浮いた状態となる反面、図面上左側の第２部分３６は下方に傾いた状態となる。それ故に、仮にカム部材１６Ａの角形状貫通孔内面３４に断面真円状の第１部分３３及び第２部分３６の外周面がそれぞれ摩擦しても、接触点が丸い（円周方向）なので、本発明の所期の目的を達成することができる。
【００３０】
図６及び図７は、カム部材１６Ａの一例を示す各説明図である。カム部材１６Ａの幅広の筒状外嵌合部４１の左右端部には、前述したようにボス部１６ａが突出形成され、これらのボス部１６ａが対向側壁１ａの円形軸孔１５ないし軸受け部分１７に回転自在に支承される。
【００３１】
筒状外嵌合部の不番貫通孔は、図面で示すように角孔であり、連結軸の略中央部の非真円状係合部３５が貫通孔内面３４に係合する。そして、カム部材１６Ａの筒状外嵌合部４１の外面の適宜部位には、図示しないラッチ部材を係止するための係合片４２が設けられている。
【実施例】
【００３２】
図８は、本発明の第２実施例を示す。図３等に示した第１実施例は、連結軸１Ａの左右の基端部にそれぞれ操作部材１３Ａ，１３Ａの非真円状被嵌合部３１，３７に対応する非真円状嵌合部３２、３８が形成され、前記操作部材１３Ａは、内外のサムターン部材である。
【００３３】
一方、この第２実施例のハンドル用の連結軸２１は、左右の基端部にそれぞれ内外の操作部材２０、１９の非真円状被嵌合部に対応する非真円状嵌合部（角軸部分）３２Ａ，３８Ａが形成され、また、中央部にカム部材（ダルマ）１６Ｂの貫通孔内面３４Ａの一部と係合する非真円状係合部３５Ａが形成され、また、中央部の非真円状係合部３５Ａと左右の非真円状嵌合部３２Ａ，３８Ａとの間に断面真円状の第１部分３３Ａ及び第２部分３６Ａがそれぞれ形成されている点は、第１実施例と同一である。
【００３４】
しかし、ハンドル用の連結軸２１は、内外のハンドル２０、１９用のものである点が相違する。
【００３５】
したがって、このハンドル用の連結軸２１の角軸状の非真円状嵌合部３２Ａ，３８Ａには、図９に示した従来例と同様に固定ピン６Ａ用の圧入孔５Ａと固着具１０用のネシ孔７Ａがそれぞれ形成されている。
【産業上の利用可能性】
【００３６】
本発明は、主に建具業界や錠前の業界で利用される。
【図面の簡単な説明】
【００３７】
図１乃至図７は本発明の最良の実施例（第１実施例）を示す各説明図。図８  は本発明の第２実施例を示す概略説明図、図９及び図１０は従来の実施例を示す各説明図。
【図１】本発明の実施の環境全体の一例を示す概略説明図。
【図２】主要部の実施の環境の一例を示す概略断面説明図。
【図３】連結軸と他の部材との関係を斜視から示す説明図。
【図４】図３の４−４線拡大断面図。
【図５】連結軸の傾き状態の対比を示す概略説明図。
【図６】カム部材の一側面からの説明図。
【図７】カム部材の他側面からの説明図。
【図８】本発明の第２実施例を示す概略説明図。
【図９】従来の実施例を斜視から示す説明図。
【図１０】従来の実施例の図２と同様の概略断面説明図。
【符号の説明】
【００３８】
１Ａ…連結軸、５Ａ…圧入孔、６Ａ…固定ピン、７Ａ…ネシ孔、１０…固着具、１１Ａ…室内扉、１２Ａ…内外の取り付け座、１３Ａ…内外のサムターン部材（操作部材の一例）、１４Ａ…錠箱、１４ａ…錠箱の対向側壁、１５…左右一対の円形軸孔、１６Ａ…カム部材、１６Ｂ…カム部材（ダルマ）、１６ａ…ボス部、１７…軸受け部分、１９…外側ハンドル、２０…内側ハンドル、２１…ハンドル用の連結軸、３１…非真円状被嵌合部、３２，３８，３２Ａ，３８Ａ…嵌合部、３３，３３Ａ…第１部分、３４，３４Ａ…貫通孔内面、３５，３５Ａ…非真円状係合部、３６，３６Ａ…第２部分、４０…許容間隙、４１…筒状外嵌合部、４２…係合片。
【図１】
2008038375.tif 000003
【図２】
2008038375.tif 000004
【図３】
2008038375.tif 000005
【図４】
2008038375.tif 000006
【図５】
2008038375.tif 000007
【図６】
2008038375.tif 000008
【図７】
2008038375.tif 000009
【図８】
2008038375.tif 000010
【図９】
2008038375.tif 000011
【図１０】
2008038375.tif 000012